(57)【特許請求の範囲】
【請求項１】
画像を表示する表示画面を有する表示部と、
前記表示画面上に物体が載置されると、載置された物体の位置を検出し、前記表示画面上に載置されている物体が取り除かれると、物体が取り除かれた位置を検出する位置検出部と、
前記位置検出部の検出結果が変化する際に、前記位置検出部によって検出された前記表示画面上に載置された物体の位置を除く残余の領域に表示部全体の画像を表示する処理を施した表示画像を生成する画像処理部と、
前記表示画像を記憶する画像記憶部と、
を備えた表示装置であって、
前記画像処理部は、新たに前記処理を行う際に、前記画像記憶部に記憶された表示画像を用いて表示画像を生成することを特徴とする表示装置。
【請求項２】
前記画像処理部は、前記位置検出部によって検出された前記表示画面上に載置された物体の位置を除く残余の領域に、表示可能な最大画像を生成する請求項１に記載の表示装置。
【請求項３】
前記画像処理部は、前記記憶部から表示可能な画像を用いることができない場合は、現在の物体位置と干渉しない新たな表示画像を生成する請求項１又は２に記載の表示装置。
【請求項４】
前記画像処理部は、表示可能な領域が複数ある場合は、複数の表示可能箇所の内最も手前の表示可能な箇所に、生成した画像を配置する請求項１から３の何れか一項に記載の表示装置。
【請求項５】
前記位置検出部により物体の位置を検出している状態から検出しない状態に変更になった場合、前記画像記憶部に記憶していた前記表示画像を消去する請求項１から４の何れか一項に記載の表示装置。
【請求項６】
画像を表示する表示画面を有する表示部と、
前記表示画面上に物体が載置されると、載置された物体の位置を検出し、前記表示画面上に載置されている物体が取り除かれると、物体が取り除かれた位置を検出する位置検出部と、
前記表示画面に画像が表示されているときに、載置された物体の位置が前記位置検出部によって検出されると、前記表示画面の、検出された位置を除く残余の領域に、検出前に表示されていた画像全体が表示されるように縮小処理を施した縮小画像を生成し、該縮小画像が前記表示画面に表示されているときに、物体が取り除かれた位置が前記位置検出部によって検出されると、前記縮小画像が表示されていた領域に、検出された位置を加えた領域全体に該縮小画像が表示されるように拡大処理を施した拡大画像を生成する画像処理部と、
前記位置検出部の検出結果に応じて、前記縮小画像または前記拡大画像のいずれかを前記表示部に表示させる表示制御部と、
前記位置検出部によって物体の位置が検出されるごとに生成される縮小画像又は縮小前画像を記憶する画像記憶部と、
を備えた表示装置であって、
前記画像処理部は、拡大処理を行うときに、前記領域全体の領域に応じて、前記画像記憶部に記憶された画像を選択して前記表示画面に表示させることを特徴とする表示装置。
【請求項７】
画像を表示する表示画面を有する表示部と、
前記表示画面上に物体が載置されると、載置された物体の位置を検出し、前記表示画面上に載置されている物体が取り除かれると、物体が取り除かれた位置を検出する位置検出部と、
前記表示画面に画像が表示されているときに、載置された物体の位置が前記位置検出部によって検出されると、前記表示画面の、検出された位置を除く残余の領域に、検出前に表示されていた画像全体が表示されるように縮小処理を施した縮小画像を生成する画像処理部と、
前記位置検出部によって物体の位置が検出されるごとに生成される縮小画像又は縮小前画像を記憶する画像記憶部と、
を備えた表示装置であって、
前記画像処理部は、拡大処理を行うときに、前記領域全体の領域に応じて、前記画像記憶部に記憶された画像を選択することを特徴とする表示装置。
【請求項８】
前記表示画面を分割した分割領域ごとに設けられ、対応する分割領域に向けて光を出射する複数の光源からなるバックライトをさらに備え、
前記位置検出部によって物体の位置が検出されると、前記位置検出部の検出結果に基づいて、物体が載置されている位置に対応する分割領域に向けて光源から出射される光の光量が、他の分割領域に向けて光源から出射される光の光量よりも減少するように前記バックライトを制御する発光制御部をさらに含むことを特徴とする請求項６又は７に記載の表示装置。
【請求項９】
前記表示画面を分割した分割領域ごとに設けられ、対応する分割領域に向けて光を出射する複数の光源からなるバックライトをさらに備え、
前記位置検出部によって物体の位置が検出されると、前記位置検出部の検出結果に基づいて、画像が表示されている以外の領域に向けて光源から出射される光の光量が、他の分割領域に向けて光源から出射される光の光量よりも減少するように前記バックライトを制御する発光制御部をさらに含むことを特徴とする請求項６又は７に記載の表示装置。
【請求項１０】
表示画面に画像を表示する表示ステップと、
前記表示画面上に物体が載置されると、載置された物体の位置を検出し、前記表示画面上に載置されている物体が取り除かれると、物体が取り除かれた位置を検出する位置検出ステップと、
前記位置検出ステップの検出結果が変化する際に、前記位置検出ステップによって検出された前記表示画面上に載置された物体の位置を除く残余の領域に表示部全体の画像を表示する処理を施した表示画像を生成する画像処理ステップと、
前記表示画像を記憶する画像記憶ステップと、
を含む表示方法であって、
前記画像処理ステップは、新たに前記処理を行う際に、前記画像記憶ステップによって記憶された表示画像を用いて表示画面を生成することを特徴とする表示方法。
【請求項１１】
コンピュータに、
表示画面に画像を表示する表示機能と、
前記表示画面上に物体が載置されると、載置された物体の位置を検出し、前記表示画面上に載置されている物体が取り除かれると、物体が取り除かれた位置を検出する位置検出機能と、
前記位置検出機能の検出結果が変化する際に、前記位置検出機能によって検出された前記表示画面上に載置された物体の位置を除く残余の領域に表示部全体の画像を表示する処理を施した表示画像を生成する画像処理機能と、
前記表示画像を記憶する画像記憶機能と、
を実現させるプログラムであって、
前記画像処理機能は、新たに前記処理を行う際に、前記画像記憶機能によって記憶された表示画像を用いて表示画面を生成することを特徴とするプログラム。
【発明の詳細な説明】
【技術分野】
【０００１】
本発明は、表示装置等に関する。
【背景技術】
【０００２】
天板部が表示装置から構成され、さらにタッチパネルを備えるような机型の表示装置が実用化され始めている。天板部の表示装置としては、たとえば液晶パネルが採用される。
【０００３】
机型表示装置の場合、画像を表示する機能とタッチパネルを用いた入力操作による各種作業を実行する機能以外に、机としての本来の機能も発揮されることが望ましい。机本来の機能とは、天板上に電話器やコンピュータ、書類や筆記用具などあらゆる物体が載置されることである。
【０００４】
物体が載置される部分に表示されている画像は、天板上に物体が載置されることで見えなくなるので、ユーザは、物体を天板上に載置しようとするときに、タッチパネルを操作するなどして、見えなくなるであろう画像の表示位置をずらす必要がある。
【０００５】
天板上に物体を載置する頻度は高いので、その都度画像の表示位置をずらすのはユーザの操作に対する負荷が大きくなってしまう。
【０００６】
引用文献１記載の画像表示制御テーブルは、ドラッグして移動させた画像が、他の画像や商品と重なっていないかどうかを判断し、重なって干渉する場合は、重なり合う画像のいずれかまたは両方を移動または縮小させて、画像の重なりを解消する。
【先行技術文献】
【特許文献】
【０００７】
【特許文献１】特開２００５−３４５７０９号公報
【発明の概要】
【発明が解決しようとする課題】
【０００８】
特許文献１記載の画像表示制御テーブルでは、他の画像を動かしたり、他の商品をテーブルに置いたときに画像の重なりを解消することができるが、テーブル上に置いた商品を移動させ、テーブル上から取り除いた場合に、移動した画像および縮小した画像は、そのままの状態となる。テーブル上に商品を置く前の状態の画像表示に戻そうとすると、ユーザが元の画像の表示状態を覚えておいて、画像を移動させたり、拡大するなどの操作が必要となる。
【０００９】
本発明の目的は、表示された画像の調整を簡単な操作で行うことができる表示装置等を提供することである。
【課題を解決するための手段】
【００１０】
上述した課題に鑑み、本発明の表示装置は、
画像を表示する表示画面を有する表示部と、
前記表示画面上に物体が載置されると、載置された物体の位置を検出し、前記表示画面上に載置されている物体が取り除かれると、物体が取り除かれた位置を検出する位置検出部と、
前記位置検出部の検出結果が変化する際に、前記位置検出部によって検出された前記表示画面上に載置された物体の位置を除く残余の領域に表示部全体の画像を表示する処理を施した表示画像を生成する画像処理部と、
前記表示画像を記憶する画像記憶部と、
を備えた表示装置であって、
前記画像処理部は、新たに前記処理を行う際に、前記画像記憶部に記憶された表示画像を用いて表示画像を生成することを特徴とする
【００１１】
本発明の表示装置は、
画像を表示する表示画面を有する表示部と、
前記表示画面上に物体が載置されると、載置された物体の位置を検出し、前記表示画面上に載置されている物体が取り除かれると、物体が取り除かれた位置を検出する位置検出部と、
前記表示画面に画像が表示されているときに、載置された物体の位置が前記位置検出部によって検出されると、前記表示画面の、検出された位置を除く残余の領域に、検出前に表示されていた画像全体が表示されるように縮小処理を施した縮小画像を生成し、該縮小画像が前記表示画面に表示されているときに、物体が取り除かれた位置が前記位置検出部によって検出されると、前記縮小画像が表示されていた領域に、検出された位置を加えた領域全体に該縮小画像が表示されるように拡大処理を施した拡大画像を生成する画像処理部と、
前記位置検出部の検出結果に応じて、前記縮小画像または前記拡大画像のいずれかを前記表示部に表示させる表示制御部と、
前記位置検出部によって物体の位置が検出されるごとに生成される縮小画像又は縮小前画像を記憶する画像記憶部を含み、
前記画像処理部は、拡大処理を行うときに、前記領域全体の領域に応じて、前記画像記憶部に記憶された画像を選択して前記表示画面に表示させることを特徴とする。
【００１２】
本発明の表示装置は、
画像を表示する表示画面を有する表示部と、
前記表示画面上に物体が載置されると、載置された物体の位置を検出し、前記表示画面上に載置されている物体が取り除かれると、物体が取り除かれた位置を検出する位置検出部と、
前記表示画面に画像が表示されているときに、載置された物体の位置が前記位置検出部によって検出されると、前記表示画面の、検出された位置を除く残余の領域に、検出前に表示されていた画像全体が表示されるように縮小処理を施した縮小画像を生成する画像処理部と、
前記位置検出部によって物体の位置が検出されるごとに生成される縮小画像又は縮小前画像を記憶する画像記憶部と、
を備えた表示装置であって、
前記画像処理部は、拡大処理を行うときに、前記領域全体の領域に応じて、前記画像記憶部に記憶された画像を選択することを特徴とする。
【００１３】
本発明の表示方法は、
表示画面に画像を表示する表示ステップと、
前記表示画面上に物体が載置されると、載置された物体の位置を検出し、前記表示画面上に載置されている物体が取り除かれると、物体が取り除かれた位置を検出する位置検出ステップと、
前記位置検出ステップの検出結果が変化する際に、前記位置検出ステップによって検出された前記表示画面上に載置された物体の位置を除く残余の領域に表示部全体の画像を表示する処理を施した表示画像を生成する画像処理ステップと、
前記表示画像を記憶する画像記憶ステップと、
を含む表示方法であって、
前記画像処理ステップは、新たに前記処理を行う際に、前記画像記憶ステップによって記憶された表示画像を用いて表示画面を生成することを特徴とする。
【００１４】
本発明のプログラムは、コンピュータに、
表示画面に画像を表示する表示機能と、
前記表示画面上に物体が載置されると、載置された物体の位置を検出し、前記表示画面上に載置されている物体が取り除かれると、物体が取り除かれた位置を検出する位置検出機能と、
前記位置検出機能の検出結果が変化する際に、前記位置検出機能によって検出された前記表示画面上に載置された物体の位置を除く残余の領域に表示部全体の画像を表示する処理を施した表示画像を生成する画像処理機能と、
前記表示画像を記憶する画像記憶機能と、
を実現させるプログラムであって、
前記画像処理機能は、新たに前記処理を行う際に、前記画像記憶機能によって記憶された表示画像を用いて表示画面を生成することを特徴とする
【発明の効果】
【００１５】
本発明によれば、画像を表示する表示画面を有する表示部と、前記表示画面上に物体が載置されると、載置された物体の位置を検出し、前記表示画面上に載置されている物体が取り除かれると、物体が取り除かれた位置を検出する位置検出部と、前記位置検出部の検出結果が変化する際に、前記表示画面の検出された位置を除く残余の領域に表示部全体の画像を表示する処理を施した表示画像を生成する画像処理部と、前記表示画像を記憶する画像記憶部と、を備えた表示装置であって、前記画像処理部は、新たに前記処理を行う際に、前記画像記憶部に記憶された表示画像を用いて前記表示画面に表示させることができる。これにより、表示画面上から物体を取り除いたときに、物体が載置されていない残余の領域に、表示部全体の画像を表示されるので、ユーザが元の画像の表示状態を覚えておいて、画像を移動させたり、拡大させたりする必要がなくなる。
【００１６】
これにより、表示された画像の調整を簡単な操作で行うことが可能な表示装置等を提供することができる。
【図面の簡単な説明】
【００１７】
【図１】本発明の実施形態である机型表示装置１の外観図である。
【図２】机型表示装置１の電気的構成を示すブロック図である。
【図３Ａ】机型表示装置１の表示制御処理を説明するための模式図である。
【図３Ｂ】机型表示装置１の表示制御処理を説明するための模式図である。
【図４Ａ】机型表示装置１の表示制御処理を示すフローチャートである。
【図４Ｂ】机型表示装置１の表示制御処理を示すフローチャートである。
【発明を実施するための形態】
【００１８】
図１は、本発明の第１の実施形態である机型表示装置１の外観図である。図２は、机型表示装置１の電気的構成を示すブロック図である。机型表示装置１は、天板部２と、天板部２を支持する脚部３とを有する。天板部２は、平板状の筐体内部に、上方に望む側の面が表示面となる液晶パネルと、液晶パネルに背面から光を照射する面発光型のバックライトとを収納し、液晶パネルの表示面に積層されるタッチパネルをさらに備えており、ユーザがタッチパネルに接触することで、液晶パネルに画像を表示させたり、ソフトウェアを動作させることができる。
【００１９】
机型表示装置１は、タッチパネル付き表示装置としての機能と机としての機能を併せ持つので、天板部２上には、たとえば電話機４、書類の束５、その他種々の物体を載置することができる。
【００２０】
机型表示装置１は、制御用マイクロコンピュータ（以下「制御マイコン」という）１０、リードオンリーメモリ（Read Only Memory：以下「ＲＯＭ」という）１１、ランダムアクセスメモリ（Random Access Memory：以下「ＲＡＭ」という）１２、液晶パネル１３、表示ドライバ１４、ビデオランダムアクセスメモリ（Video Random Access Memory：以下「ＶＲＡＭ」という）１５、タッチパネル１６、タッチパネル制御回路１７、バックライト制御回路１８およびバックライト１９を含んで構成される。
【００２１】
制御マイコン１０は、たとえば中央処理装置（Central Processing Unit：以下「ＣＰ
Ｕ」という）によって構成される。制御マイコン１０は、ＲＯＭ１１に記憶される各種の制御プログラムを読出して実行することによって、表示ドライバ１４、ＶＲＡＭ１５、タッチパネル制御回路１７およびバックライト制御回路１８の動作を制御する。
【００２２】
ＲＯＭ１１は、たとえば不揮発性の半導体メモリによって構成され、制御マイコン１０で実行される各種の制御プログラムを記憶する。ＲＡＭ１２は、たとえば揮発性の半導体メモリによって構成され、制御マイコン１０がＲＯＭ１１に記憶されるプログラムを実行するために必要な情報を一時的に記憶する。ＲＡＭ１２に記憶される情報は、制御マイコン１０によって書込みおよび読出しが行われる。
【００２３】
表示部である液晶パネル１３は、天板部２に設けられ、机型表示装置１を床上などに設置した状態で、上方に臨んで配置される表示画面を備える。液晶パネル１３は、表示ドラ 
イバ１４から受取る映像信号を画像として表示画面に表示する。表示ドライバ１４は、制御マイコン１０から受取る映像信号データを映像信号に変換して液晶パネル１３に送る。ＶＲＡＭ１５は、たとえば揮発性の半導体メモリによって構成され、映像信号データを記憶するデータバッファである。ＶＲＡＭ１５に記憶される映像信号データは、制御マイコン１０によって書込みおよび読出しが行われる。
【００２４】
検出部として機能するタッチパネル１６は、液晶パネル１３の表示画面に重ねて設けられる。タッチパネル１６は、１または複数の接触位置を検出し、検出した位置を表す信号をタッチパネル制御回路１７に送る。検出方式は、マトリクススイッチ方式、抵抗膜方式、静電容量方式、電磁誘導方式および赤外線遮断方式など各種の方式を用いることができ、これらの方式を複数組み合わせてもよい。たとえば、キーボードやマウスの代わりの入力装置としては、静電誘導方式を用い、天板部２の上面に載置された物体の位置を検出する検出部としては、赤外線遮断方式を用いる。
【００２５】
タッチパネル制御回路１７は、タッチパネル１６から受取る信号を検出座標データに変換して制御マイコン１０に送る。制御マイコン１０は、タッチパネル制御回路１７から受取る検出座標データによって、接触位置を認識することができる。タッチパネル１６の接触検出面と液晶パネル１３の表示画面とは、ほぼ同じ大きさに設けられており、タッチパネル１６の接触位置と、表示画面の表示位置とが対応付けられる。たとえば、タッチパネル１６の接触位置は、ＸＹ座標で表わされ、表示画面のＸＹ座標と１対１で対応付けられる。
【００２６】
バックライト制御回路１８は、いわゆるローカルディミング機能を実現するために、バックライト１９に備えられる各ＬＥＤ（Light Emitting Diode）光源の輝度をＬＥＤ光源ごとに制御する。
【００２７】
ローカルディミング機能では、液晶パネル１３の表示画面を複数の領域に分割し、この分割された分割領域ごとに割り当てられたＬＥＤ光源の輝度を、分割領域ごとに制御することで、高いコントラスト比を実現するものである。
【００２８】
バックライト１９に備えられる各ＬＥＤ光源の配置位置は予め決まっており、表示画面の各分割領域の配置も、バックライト１９の各ＬＥＤ光源に応じて予め決まっている。したがって、バックライト１９の輝度制御は、予め決められた分割領域ごとに、表示しようとする画像データに基づいてＬＥＤ光源の輝度を制御する。
【００２９】
本発明の机型表示装置１の場合、天板部２上面のほぼ全面が表示画面によって占められている。電話機４や書類の束５などの物体を天板部２に載置すると、載置された物体が障害物となって、表示された画像の一部が見えなくなる。
【００３０】
液晶パネル１３などの画像表示パネルは、特定の画像の表示位置を任意に変更したり、縮小、拡大などの変倍処理を施した画像を高速に表示することができる。また、タッチパネル１６は、上記のように天板部２の上面に載置された物体の位置を検出することができる。
【００３１】
これらの機能を利用して、本発明では、液晶パネル１３の表示画面上に物体が載置されると、それまで表示されていた画像を縮小し、物体が載置された位置を避けて、縮小画像を表示する。さらに、載置されていた物体が表示画面上から取り除かれると、それまで表示されていた縮小画像を拡大し、拡大画像を表示画面に表示する。
【００３２】
図３Ａ、図３Ｂは、机型表示装置１の表示制御処理を説明するための模式図である。図 
３Ａ、図３Ｂは、机型表示装置１を上方から見た平面図と、記憶部であるＲＡＭ１２の記憶領域を示す。
【００３３】
図３Ａ（ａ）は、液晶パネル１３に画像が表示されているが、天板部２の上面には障害物となるような物体が載置されていない状態を示している。このような状態では、液晶パネル１３の表示画面全体に画像が表示されている。表示画面全体に表示されている画像を初期画像とする。また初期画像が表示されている状態を画面状態Ａとする。画面状態は、たとえば、表示される画像、その画像のサイズ、画像を表示画面内のどの領域に表示するかを示す表示位置などの情報を含み、画面状態をＲＡＭ１２から読み出すことにより、ＲＡＭ１２に記憶した時点での表示画面の表示状態を再現することができる。
【００３４】
図３Ａ（ｂ）に示すように、書類の束５などの物体が天板部２の上面に載置されると、タッチパネル１６が、書類の束５が載置されている位置を検出する。検出された位置に表示されている画像は、載置された書類の束５によって見えなくなるので、表示画面の、検出された位置を除く残余の領域に、検出前に表示されていた画像全体が表示されるように縮小処理を施した縮小画像を生成する。ここでの縮小処理は、縮小前に表示されていた画像の縦横比を維持する縮小処理である。
【００３５】
図に示す例では、天板部２の左奥に書類の束５が載置されたことにより、これを避けるために画像を縮小し、縮小した画像を天板部２の右手前に表示している。物体が載置された位置を除いた残余の領域に縮小画像を表示しようとするときに、表示画面において、縮小画像を表示可能な箇所が１つに特定されない場合がある。図に示す例では、縮小画像は、表示画面の右側辺に沿った箇所であれば表示することができる。このように縮小画像が表示可能な箇所が複数ある場合は、複数の表示可能箇所のうち、最も手前の表示可能箇所に縮小画像を表示することが好ましい。
【００３６】
縮小画像の表示箇所を決定し、縮小画像を液晶パネル１３の表示画面に表示するとともに、縮小処理を施す前に表示画面に表示されていた画像の状態を示す画面状態Ａを、画像記憶部であるＲＡＭ１２の記憶領域Ｘ１に記憶する。この時点で液晶パネル１３の表示画面に縮小画像が表示された状態を画面状態Ｂとする。
【００３７】
続いて図３Ｂ（ｃ）に示すように、さらに電話機４が天板部２の上面に載置されると、タッチパネル１６が、電話機４が載置されている位置を検出する。検出された位置に表示されている画像は、載置された電話機４によって見えなくなるので、表示画面の、検出された位置を除く残余の領域に、検出前に表示されていた画像全体が表示されるように縮小処理を施した第２の縮小画像を生成する。
【００３８】
図に示す例では、天板部２の右奥に電話機４が載置されたことにより、これを避けるために画像を縮小し、縮小した画像を天板部２の右手前に表示している。
【００３９】
第２の縮小画像の表示箇所を決定し、第２の縮小画像を液晶パネル１３の表示画面に表示するとともに、縮小処理を施す前に表示画面に表示されていた画像の状態を示す画面状態Ｂを、画像記憶部であるＲＡＭ１２の記憶領域Ｘ２に記憶する。この時点で液晶パネル１３の表示画面に第２の縮小画像が表示された状態を画面状態Ｃとする。
【００４０】
さらに図３Ｂ（ｄ）に示すように、載置された電話機４が天板部２の上面から取り除かれると、タッチパネル１６が、電話機４が取り除かれた位置を検出する。検出された位置には、すでに電話機４は無いので、検出された位置に画像を表示しても見ることができる。
【００４１】
そこで、第２の縮小画像が表示されていた領域に、電話機４が取り除かれた位置を加えた領域を設定し、この領域全体にわたって第２の縮小画像が表示していた表示内容全体が表示されるように第２の縮小画像に対して拡大処理を施して拡大画像を生成する。
【００４２】
本実施形態では、第２の縮小画像の縮小処理が施されるよりも前に表示されていた画像の状態を示す画面状態である、ＲＡＭ１２に記憶されている画面状態Ａまたは画面状態Ｂのいずれかを読み出して、画面状態に含まれる画像を、拡大処理を施した拡大画像とする。電話機４が取り除かれたことで、画像を表示可能な領域が広がり、この広がった領域に対して、ＲＡＭ１２に記憶されている画面状態に含まれる画像を当てはめて、画像全体が表示可能であるかどうかを判断する。
【００４３】
図に示した例では、電話機４が載置される直前に表示されていた第１の縮小画像は、書類の束５の載置位置が変わらない限り表示可能であるので、第１の縮小画像をＲＡＭ１２から読み出し、拡大画像として液晶パネル１３の表示画面に表示する。画面状態Ａに含まれる画像は、液晶パネル１３の表示画面全体にわたって表示される最大の画像であるので、書類の束５が載置されている状態では、表示することはできない。
【００４４】
こののち、さらに書類の束５が天板部２の上面から取り除かれると、画面状態ＡがＲＡＭ１２から読み出され、画面状態Ａに含まれる画像が拡大画像として液晶パネル１３の表示画面に表示されることになる。
【００４５】
本実施形態では、拡大処理を簡略化するために、予め縮小前の画像をＲＡＭ１２に記憶しておいて、記憶している画像から拡大画像を選択する構成としたが、第２の実施形態として、物体が取り除かれたのちの画像表示可能な領域を設定し、設定した領域に合わせて拡大処理を施して拡大画像を生成してもよい。この場合、載置されていた物体が取り除かれるたびに拡大処理を実行する必要があるが、縮小前の画像を記憶しておく必要がないので、拡大処理のためにＲＡＭ１２の記憶容量を大きくする必要がない。
【００４６】
図４Ａおよび図４Ｂは、机型表示装置１の表示制御処理を示すフローチャートである。本実施形態では、予め画像が液晶パネル１３の表示画面全体に表示されている状態で本フローが開始される。
【００４７】
ステップＳ１では、検出部であるタッチパネル１６が、表示画面上の物体を検出する。さらに、ステップＳ２では、タッチパネル１６が検出することで出力される座標情報が、ｘ秒以上変化しないかどうかを判断する。ｘ秒以上変化しなければステップＳ３に進み、ｘ秒以内に変化があればステップＳ１に戻る。ここで、ｘはたとえば５秒である。
【００４８】
ステップＳ３では、タッチパネル１６が、表示画面上に物体が載置されたものと認識し、タッチパネル制御回路１７を介して、物体が載置された位置を示す座標情報を画像処理部である制御マイコン１０に伝える。ステップＳ４では、制御マイコン１０が、現在液晶パネル１３の表示画面に表示されている画像に対して、タッチパネル制御回路１７から入力された座標情報が干渉する状態にあるかどうかを判断する。干渉しているかどうかは、入力された座標情報が、現在画像が表示されている領域内に含まれるかどうかによって判断できる。画像の表示範囲内に当該座標情報が含まれる場合は、干渉していると判断する。本フローの初期状態のように、表示画面全体にわたって画像が表示されている場合、必ずタッチパネル制御回路１７から入力された座標情報が表示領域内に含まれるので干渉することになる。座標情報が干渉する場合は、ステップＳ５に進み、干渉しない場合はステップＳ８に進む。
【００４９】
ステップＳ５では、記憶部であるＲＡＭ１２が、初期画像が表示された状態を示す画面 
状態Ａを、ＲＡＭ１２の記憶領域Ｘｎに記憶する。ｎの初期値は０であり、ＲＡＭに画面状態を記憶するときにｎをインクリメントする（ｎ＝ｎ＋１とする）ので、画面状態Ａを記憶する記憶領域は、記憶領域Ｘ０である。
【００５０】
ステップＳ６では、画像処理部である制御マイコン１０が、現在表示されている画像（初期画像）に対して、ステップＳ３で入力された座標情報と干渉しないように縮小処理を施す。制御マイコン１０は、この縮小処理によって生成された縮小画像と縮小画像を表示する表示位置とを含む画面状態Ｂを生成する。
【００５１】
ステップＳ７では、表示制御部である制御マイコン１０が、生成された画面状態Ｂに基づいて、縮小画像を液晶パネル１３の表示画面に表示する。ここで表示される画像は、天板部２に載置された物体の位置を避けて表示されるので、載置された物体によって隠されることなく、ユーザは表示された画像全体を見ることができる。
【００５２】
ステップＳ４において、座標情報が干渉しない場合は、天板部２に物体が載置されたとしても画像全体が見える状態にあるので、ステップＳ８では、画面状態Ａに基づく画像の表示を継続する。
【００５３】
なお、ステップＳ７またはステップＳ８の処理終了後に再度物体が天板部２に載置された場合、ステップＳ１に戻って、上記と同様に物体の位置が表示画像と干渉するときには、縮小画像を表示すればよい。
【００５４】
このとき、縮小画像を生成して液晶パネル１３に表示するごとに、縮小処理前に表示していた画像を含む画面状態をＲＡＭ１２の記憶領域Ｘｎ（Ｘ１，Ｘ２，・・・）に、それぞれ記憶しておく。記憶した画面状態は、以降の拡大処理時に利用される。
【００５５】
ステップＳ７またはステップＳ８に続いてステップＳ９以降では、天板部２の表示画面上に載置されていた物体が取り除かれた場合について説明する。
【００５６】
ステップＳ９では、検出部であるタッチパネル１６が、表示画面上に載置されていた物体が取り除かれたことを検出する。物体が載置されている状態では、タッチパネル１６は、連続して物体を検出し、タッチパネル制御回路１７は連続して同じ座標情報を出力する。制御マイコン１０は、連続してタッチパネル制御回路１７から入力されていた座標情報が、入力されなくなると、載置されていた物体が取り除かれたものと判断する。載置されていた物体が取り除かれたことにより、表示画面内で画像を表示できる領域が広がることになる。
【００５７】
ステップＳ１０では、ＲＡＭ１２の記憶領域Ｘｍ（ｍの初期値は０）に現在表示画面上に載置されている物体の位置と比較の対象となる画面状態があるか否かを判断する。上記のように、記憶領域Ｘｍには、表示画像に縮小処理を施すたびに、縮小前の画面状態を記憶している。
【００５８】
比較の対象となる画面状態がＲＡＭ１２になければ、ステップＳ６に戻り、画面状態があればステップＳ１１に進む。ステップＳ１１では、画像処理部である制御マイコン１０が、記憶領域Ｘｍに記憶されている画面状態を読み出す。ステップＳ１１が初めて実行されるときは、記憶領域Ｘ０に記憶されている画面状態Ａ、すなわち初期画像を読み出す。
【００５９】
ステップＳ１２では、読み出した画面状態に基づいて液晶パネル１３に画像を表示した場合、表示すべき画像と現在表示画面上に載置されている物体の位置とが干渉するかどうかを判断する。制御マイコン１０は、画面状態に基づいて表示しようとする画像の表示領 
域に、現在タッチパネル制御回路１７から入力される座標情報の少なくとも１つが含まれていると干渉すると判断する。
【００６０】
干渉する場合は、ステップＳ１３に進み、ｍをインクリメント（ｍ＝ｍ＋１）してステップＳ１０に戻る。ステップＳ１０に戻って以降のステップＳ１１では、異なる記憶領域に記憶されている異なる画面状態を読み出して、表示すべき画像と物体の載置位置との干渉を判断する。
【００６１】
物体の載置位置と干渉しない画像が見つかるまでステップＳ１０〜Ｓ１３を繰り返す。現在の物体の載置位置と干渉しない画像があると、ステップＳ１４に進み、表示制御部である制御マイコン１０が、読み出した画面状態に基づく画像を液晶パネル１３に表示する。ステップＳ１０について前述した、比較の対象となる画面状態がＲＡＭ１２にない場合とは、現在の物体の載置位置と干渉しない画像がＲＡＭ１２に記憶された画像中に見つからなかった場合であり、その場合には、ステップＳ６に戻り、現在の物体の載置位置と干渉しない新たな画像を作成する。
【００６２】
ステップＳ１５では、ｍ＝０かどうかを判断する。ｍ＝０であればステップＳ１６に進み、ＲＡＭ１２に記憶されている全ての記憶領域の画面状態を消去する。ｍ＝０であるということは、表示画面全体に画像を表示しても物体と干渉しないということであり、すなわち天板部２には、物体が載置されていないということであるので、ＲＡＭ１２に記憶されている画面状態を全て削除しても構わない。
【００６３】
ステップＳ１５で、ｍ≠０のときはＲＡＭ１２の記憶領域を消去せずに処理を終了する。なお、新たに物体が取り除かれるような場合は、ステップＳ９に戻って、以降の処理を再度実行してもよい。
【００６４】
さらに本発明の第３の実施形態として、ローカルディミング機能を利用して、物体が載置されている位置に対応する表示画面の分割領域のＬＥＤ光源の輝度を、他の分割領域のＬＥＤ光源の輝度よりも小さくする。本発明で輝度を小さくする場合に、輝度を０とすること、すなわち対応する分割領域のＬＥＤ光源を消灯することも含まれる。
【００６５】
物体が載置されると、物体を避けて縮小画像を表示するので、液晶パネル１３の表示画面には、実質的に画像が表示されない領域が存在する。その領域に対応する分割領域のＬＥＤ光源の輝度を小さくしたとしても、画像が表示されている領域に対応する分割領域のＬＥＤ光源の輝度を十分に保持していれば、液晶パネル１３の表示品質が劣化することはなく、ＬＥＤ光源の輝度を小さくすることで、バックライト１９の消費電力を低く抑えることができる。
【００６６】
縮小画像を表示する領域以外の領域（この領域は物体が載置されている領域を含む）に対応する分割領域のＬＥＤ光源の輝度を、画像が表示されている領域に対応する分割領域のＬＥＤ光源の輝度よりも小さくすることで、さらにバックライト１９の消費電力を低く抑えることができる。
【００６７】
上述した記載に基づけば、本実施形態の記載によれば、以下のような効果も奏する。例えば、天板部と、天板部を支持する脚部とを備え、天板部は、平板状に形成され厚み方向一方に開口する筐体、表示装置の表示画面を有し該表示画面が前記開口から露出するように前記筐体に収容される表示部、前記表示画面に重ねて設けられるタッチパネルを備えた机型表示装置を提供することもできる。
【００６８】
さらに、机型表示装置は、前記表示画面上に物体が載置されると、載置された物体の位置を検出し、前記表示画面上に載置されている物体が取り除かれると、物体が取り除かれた物体位置を検出する検出部を備え、画像処理部が、前記表示画面に画像が表示されているときに、載置された物体の位置が前記検出部によって検出されると、前記表示画面の、検出された位置を除く残余の領域に、検出前に表示されていた画像全体が表示されるように縮小処理を施した縮小画像を生成し、該縮小画像が前記表示画面に表示されているときに、物体が取り除かれた位置が前記検出部によって検出されると、前記縮小画像が表示されていた領域に、検出された位置を加えた領域全体に該縮小画像が表示されるように拡大処理を施した拡大画像を生成する。表示制御部は、前記検出部の検出結果に応じて、前記縮小画像または前記拡大画像のいずれかを前記表示部に表示させることができる。
【００６９】
また、本実施形態によれば、物体を表示画面上に載置すると、載置された物体を避けるように縮小された画像が表示され、載置された物体を取り除くと、縮小されていた画像が拡大されて表示されるので、ユーザは、物体を取り除いた後に、画像を移動させたり、拡大するなどの操作をする必要がなく、表示された画像の調整を簡単な操作で行うことができる。
【００７０】
また、本実施形態によれば、画像記憶部は、前記検出部によって物体の位置が検出されるごとに生成される縮小画像を記憶し、前記画像処理部は、拡大処理を行うときに、前記表示画面上に載置された物体があれば、前記画像記憶部に記憶された画像のうち、物体が載置された位置とは重ならないような縮小画像を選択して前記表示画面に表示させる。これにより、拡大処理を簡略化することができる。 
【００７１】
また、本実施形態によれば、前記天板部は、前記表示画面を分割した分割領域ごとに設けられ、対応する分割領域に向けて光を出射する複数の光源からなり、前記筐体内に収容されるバックライトを備え、前記検出部によって物体の位置が検出されると、前記検出部の検出結果に基づいて、物体が載置されている位置に対応する分割領域に向けて光源から出射される光の光量が、他の分割領域に向けて光源から出射される光の光量よりも減少するように前記バックライトを制御する。これにより、バックライトの消費電力を低減することができる。
【符号の説明】
【００７２】
１      机型表示装置
２      天板部
２ａ    筐体
３      脚部
１０    制御マイコン
１１    ＲＯＭ 
１２    ＲＡＭ
１３    液晶パネル
１４    表示ドライバ
１５    ＶＲＡＭ
１６    タッチパネル
１７    タッチパネル制御回路
１８    バックライト制御回路
１９    バックライト 
【図１】
0006353125.tif 000002
【図２】
0006353125.tif 000003
【図３Ａ】
0006353125.tif 000004
【図３Ｂ】
0006353125.tif 000005
【図４Ａ】
0006353125.tif 000006
【図４Ｂ】
0006353125.tif 000007